(57)【要約】【課題】単なる印刷による装飾に止まらず、形状全体がダイナミックな装飾効果を発揮し得る訴求力の高い包装箱の提供を図る。【解決手段】物品を収納する収納部を備えた包装箱において、包装箱の少なくとも一つの面（正面）は装飾面１１を構成する。装飾面１１は、収納部の一部を構成する収納領域３１と、収納部１０よりもはみ出した装飾領域３２とを備えている。装飾領域３２は、底面に対して折り目線を介して連設されており、底面からはみ出しておらず、底面を接地した状態で立てることができる。【選択図】図１
2018122861.tif 000002
【特許請求の範囲】
【請求項１】
物品を収納する収納部を備えた包装箱において、
前記包装箱の少なくとも一つの面は装飾面を構成し、
前記装飾面は、前記収納部の一部を構成する収納領域と、前記収納部よりもはみ出した装飾領域とを備えていることを特徴とする包装箱。
【請求項２】
前記収納部は６面体を構成し、
前記装飾面は、前記収納部の正面に配置され、
前記装飾領域は、前記収納部の左右の側面と上面との３つの面のうち少なくとも１つの面からはみ出しているものであり、且つ、底面からははみ出しておらず、
底面を接地した状態で立てることができることを特徴とする請求項１記載の包装箱。
【発明の詳細な説明】
【技術分野】
【０００１】
本発明は、包装箱に関するものである。
【背景技術】
【０００２】
包装箱は、種々の物品を販売や保管のために収納するために多用されている包装資材であり、特許文献１から３に示すように６面体のものが多用されている。包装箱の表面には、印刷などによって種々の装飾が施されているが、たとえ印刷デザインが斬新なものであったとしても、収納部が６面体などの特定の立体形状である限り、その訴求力には限界があると言わざるを得ない。
【先行技術文献】
【特許文献】
【０００３】
【特許文献１】特開平07-096931号公報
【特許文献２】特開2006-188238号公報
【特許文献３】特開2007-204122号公報
【発明の概要】
【発明が解決しようとする課題】
【０００４】
本発明の目的は、よりダイナミックな装飾が可能な包装箱の提供を図ることにある。
【課題を解決するための手段】
【０００５】
本発明は、物品を収納する収納部を備えた包装箱において、前記包装箱の少なくとも一つの面は装飾面を構成し、前記装飾面は、前記収納部の一部を構成する収納領域と、前記収納部よりもはみ出した装飾領域とを備えている包装箱を提供することにより、前記の課題を解決する。
【０００６】
本発明にあっては、種々の形態で実施することができるが、例えば、前記収納部は６面体を構成し、前記装飾面は前記収納部の正面に配置され、前記装飾領域は前記収納部の左右の側面と上面との３つの面のうち少なくとも１つの面からはみ出しているものであり、且つ、底面からははみ出しておらず、底面を接地した状態で立てることができる包装箱として実施することができる。
【図面の簡単な説明】
【０００７】
【図１】本発明の実施の形態にかかる包装箱の斜視図。
【図２】同包装箱の展開図。
【図３】同包装箱の６面図。
【図４】本発明の他の実施の形態にかかる包装箱の展開図。
【図５】本発明のさらに他の実施の形態にかかる包装箱の展開図。
【図６】本発明のさらに他の実施の形態にかかる包装箱の展開図。
【図７】本発明のさらに他の実施の形態にかかる包装箱の展開図。
【図８】本発明のさらに他の実施の形態にかかる包装箱の展開図。
【図９】本発明のさらに他の実施の形態にかかる包装箱の展開図。
【図１０】本発明のさらに他の実施の形態にかかる包装箱の展開図。
【図１１】本発明のさらに他の実施の形態にかかる包装箱の展開図。
【図１２】本発明のさらに他の実施の形態にかかる包装箱の展開図。
【図１３】本発明のさらに他の実施の形態にかかる包装箱の展開図。
【図１４】本発明のさらに他の実施の形態にかかる包装箱の展開図。
【図１５】本発明のさらに他の実施の形態にかかる包装箱の展開図。
【図１６】本発明のさらに他の実施の形態にかかる包装箱の展開図。
【図１７】本発明のさらに他の実施の形態にかかる包装箱の展開図。
【図１８】本発明のさらに他の実施の形態にかかる包装箱の展開図。
【図１９】本発明のさらに他の実施の形態にかかる包装箱の展開図。
【図２０】本発明のさらに他の実施の形態にかかる包装箱の展開図。
【図２１】本発明のさらに他の実施の形態にかかる包装箱の展開図。
【図２２】本発明のさらに他の実施の形態にかかる包装箱の展開図。
【図２３】本発明のさらに他の実施の形態にかかる包装箱の展開図。
【図２４】本発明のさらに他の実施の形態にかかる包装箱の展開図。
【図２５】本発明のさらに他の実施の形態にかかる包装箱の展開図。
【図２６】本発明のさらに他の実施の形態にかかる包装箱の展開図。
【図２７】本発明のさらに他の実施の形態にかかる包装箱の展開図。
【図２８】本発明のさらに他の実施の形態にかかる包装箱の展開図。
【図２９】本発明のさらに他の実施の形態にかかる包装箱の展開図。
【図３０】本発明のさらに他の実施の形態にかかる包装箱の展開図。
【図３１】本発明のさらに他の実施の形態にかかる包装箱の展開図。
【図３２】本発明のさらに他の実施の形態にかかる包装箱の展開図。
【図３３】本発明のさらに他の実施の形態にかかる包装箱の展開図。
【図３４】本発明のさらに他の実施の形態にかかる包装箱の展開図。
【図３５】本発明のさらに他の実施の形態にかかる包装箱の展開図。
【図３６】本発明のさらに他の実施の形態にかかる包装箱の展開図。
【図３７】本発明のさらに他の実施の形態にかかる包装箱の展開図。
【図３８】本発明のさらに他の実施の形態にかかる包装箱の展開図。
【図３９】本発明のさらに他の実施の形態にかかる包装箱の展開図。
【図４０】本発明のさらに他の実施の形態にかかる包装箱の展開図。
【図４１】本発明のさらに他の実施の形態にかかる包装箱の展開図。
【図４２】本発明のさらに他の実施の形態にかかる包装箱の展開図。
【図４３】本発明のさらに他の実施の形態にかかる包装箱の展開図。
【図４４】本発明のさらに他の実施の形態にかかる包装箱の展開図。
【図４５】本発明のさらに他の実施の形態にかかる包装箱の展開図。
【図４６】本発明のさらに他の実施の形態にかかる包装箱の展開図。
【図４７】本発明のさらに他の実施の形態にかかる包装箱の展開図。
【図４８】本発明のさらに他の実施の形態にかかる包装箱の展開図。
【図４９】本発明のさらに他の実施の形態にかかる包装箱の展開図。
【図５０】本発明のさらに他の実施の形態にかかる包装箱の展開図。
【図５１】本発明のさらに他の実施の形態にかかる包装箱の展開図。
【図５２】本発明のさらに他の実施の形態にかかる包装箱の展開図。
【図５３】本発明のさらに他の実施の形態にかかる包装箱の展開図。
【発明を実施するための形態】
【０００８】
以下、図面に基づき本発明の実施の形態を説明する。
まず図１から図３を参照して、本発明の一つの実施の形態にかかる包装箱について説明する。
【０００９】
この実施の形態にかかる包装箱は、正面（装飾面）１１、背面１２、左右の側面１３、上面１４、底面１５からなる６面体の収納部１０を備える。
背面１２は、その４辺から、破線で示す折り目線を介して、左右の側面１３と上面１４と底面１５とが連設され、底面１５からは折り目線を介して正面（装飾面）１１が連設されている。
側面１３はその一辺に正面向けフラップ２２を備えており、上面１４及び底面１５はその左右の両辺に側面向けフラップ２１を備えており、さらに上面１４はその一辺に正面向けフラップ２３を備えている。これらのフラップは、折り目線を介して設けられているもので、組み立て状態において、必要に応じて他の面に貼り付けられるかあるいは貼り付けられずに沿わされされた状態で配置される。例えば、左右の側面１３を開閉用の蓋とする場合、上面１４の正面向けフラップ２３を正面（装飾面）１１に貼り付ける一方、上面１４及び底面１５の側面向けフラップ２１と、側面１３の正面向けフラップ２２とは、貼り付けずに開閉フラップとすることができる。
【００１０】
この包装箱にあっては、正面（装飾面）１１は、６面体の収納部１０の一部を構成する長方形の収納領域３１と、収納部１０よりもはみ出した装飾領域３２とを備えている。
この実施の形態では、正面（装飾面）１１が肥満男性を想起させる外形を備えており、メタボリック症候群の人に適する薬品や食品を収納物品とする包装箱として、訴求力の高い外観を備えた包装箱を提供することができたものであり、正面（装飾面）１１などに付される印刷による装飾と相俟って、極めて強い印象を看者に与えることができる。
【００１１】
この包装箱は、装飾領域３２が左右の側面１３と上面１４との３つの面からはみ出しているものであるが、正面（装飾面）１１は底面１５に連設されており、底面１５からはみ出していない。これにより、この包装箱は底面１５を接地させて立てることができるものである。なお、装飾領域３２は左右の側面１３と上面１４のうちの１つまたは２つの面のみからはみ出すものであってもかまわない。
【００１２】
本発明は、さらに種々の実施の形態で実施することが可能であり、その例を図４以降に示すが、本発明はこれらの実施の形態に限定して理解されるべきではない。
なお、図２及び図４以降の各展開図において、折り目線を点線で示す。折り目線はから各面を折り曲げることによって、包装箱が組み立てられる。実施に際しては、展開図において、定法に従い、点線の折り目線は罫線（即ち、型で押さえられて凹んだ連続した谷状の線）として形成される。
またこの図中に点線で示した罫線は、折り目線以外の線であっても、各面に示された図の表現の一つとして形成することができる。例えば、図１２においては、三日月の輪郭を示す線ために罫線が形成されている。本願においては、この図の表現としての罫線も点線で示す。但し、図の表現としての罫線は印刷等で代用することも可能であり、その場合には、当該罫線は設けずに実施することも可能である。よって、各図の解釈において、罫線（特に、各面における図の表現としての罫線）が無い外形線のみのものについても、本願において開示されていると理解すべきである。
【符号の説明】
【００１３】
１０  収納部
１１  正面（装飾面）
１２  背面
１３  側面
１４  上面
１５  底面
２１，２２，２３  フラップ
３１  収納領域
３２  装飾領域
【図１】
2018122861.tif 000003
【図２】
2018122861.tif 000004
【図３】
2018122861.tif 000005
【図４】
2018122861.tif 000006
【図５】
2018122861.tif 000007
【図６】
2018122861.tif 000008
【図７】
2018122861.tif 000009
【図８】
2018122861.tif 000010
【図９】
2018122861.tif 000011
【図１０】
2018122861.tif 000012
【図１１】
2018122861.tif 000013
【図１２】
2018122861.tif 000014
【図１３】
2018122861.tif 000015
【図１４】
2018122861.tif 000016
【図１５】
2018122861.tif 000017
【図１６】
2018122861.tif 000018
【図１７】
2018122861.tif 000019
【図１８】
2018122861.tif 000020
【図１９】
2018122861.tif 000021
【図２０】
2018122861.tif 000022
【図２１】
2018122861.tif 000023
【図２２】
2018122861.tif 000024
【図２３】
2018122861.tif 000025
【図２４】
2018122861.tif 000026
【図２５】
2018122861.tif 000027
【図２６】
2018122861.tif 000028
【図２７】
2018122861.tif 000029
【図２８】
2018122861.tif 000030
【図２９】
2018122861.tif 000031
【図３０】
2018122861.tif 000032
【図３１】
2018122861.tif 000033
【図３２】
2018122861.tif 000034
【図３３】
2018122861.tif 000035
【図３４】
2018122861.tif 000036
【図３５】
2018122861.tif 000037
【図３６】
2018122861.tif 000038
【図３７】
2018122861.tif 000039
【図３８】
2018122861.tif 000040
【図３９】
2018122861.tif 000041
【図４０】
2018122861.tif 000042
【図４１】
2018122861.tif 000043
【図４２】
2018122861.tif 000044
【図４３】
2018122861.tif 000045
【図４４】
2018122861.tif 000046
【図４５】
2018122861.tif 000047
【図４６】
2018122861.tif 000048
【図４７】
2018122861.tif 000049
【図４８】
2018122861.tif 000050
【図４９】
2018122861.tif 000051
【図５０】
2018122861.tif 000052
【図５１】
2018122861.tif 000053
【図５２】
2018122861.tif 000054
【図５３】
2018122861.tif 000055